(57)【要約】【課題】  無線タグにパスワードが設定されたか否かを容易に判別でき、確認作業に要する手間を大幅に削減することが可能な無線通信装置を提供すること。【解決手段】  タグデータを記憶したメモリを有する無線タグとアンテナを介して無線通信を行う無線通信手段を備えた無線通信装置において、無線通信手段により無線タグにタグデータの応答を要求し、この要求に対して無線タグが応答したデータに基づいて、当該データを応答した無線タグにタグデータの応答を制限するパスワードが設定されているか否かを判断する。そして、無線タグが応答したデータが、パスワードの指定がされていないことに応じて無線タグが応答する所定のエラーデータである場合には、無線タグにパスワードが設定されていると判断し、その旨を報知する。【選択図】      図６
2010067123.tif 000002
【特許請求の範囲】
【請求項１】
タグデータを記憶したメモリを有する無線タグとアンテナを介して無線通信を行う無線通信手段を備えた無線通信装置において、
前記無線通信手段により無線タグにタグデータの応答を要求するタグデータ要求手段と、
このタグデータ要求手段による要求に対して無線タグが応答したデータに基づいて、当該データを応答した無線タグにタグデータの応答を制限するパスワードが設定されているか否かを判断するパスワード設定判断手段と、
このパスワード設定判断手段により前記無線タグに前記パスワードが設定されていると判断されたとき、その旨を報知するパスワード設定報知手段とを備えてなることを特徴とする無線通信装置。
【請求項２】
タグデータを記憶したメモリを有する無線タグとアンテナを介して無線通信を行う無線通信手段を備えた無線通信装置において、
前記無線通信手段により無線タグにタグデータの応答を要求するタグデータ要求手段と、
このタグデータ要求手段による要求に対して無線タグが応答したデータに基づいて、当該データを応答した無線タグにタグデータの応答を制限するパスワードが設定されているか否かを判断するパスワード設定判断手段と、
このパスワード設定判断手段により前記無線タグに前記パスワードが設定されていると判断されたとき、前記無線通信手段により所定のパスワードを指定して前記無線タグにタグデータの応答を要求するパスワード指定要求手段と、
このパスワード指定要求手段による要求に対して前記無線タグが応答したデータを報知する報知手段とを備えてなることを特徴とする無線通信装置。
【請求項３】
タグデータを記憶したメモリを有する無線タグとアンテナを介して無線通信を行う無線通信手段を備えた無線通信装置において、
前記無線通信手段により無線タグにタグデータの応答を要求するタグデータ要求手段と、
このタグデータ要求手段による要求に対して無線タグが応答したデータが正常なタグデータであるか否かを判断する読取判断手段と、
この読取判断手段により無線タグが応答したデータが正常なタグデータであると判断されたとき、当該無線タグが応答したデータを報知する第１の報知手段と、
前記読取判断手段により無線タグが応答したデータが正常なタグデータでないと判断されたとき、当該無線タグが応答したデータに基づいて、当該無線タグにタグデータの応答を制限するパスワードが設定されているか否かを判断するパスワード設定判断手段と、
このパスワード設定判断手段により前記無線タグに前記パスワードが設定されていると判断されたとき、前記無線通信手段により所定のパスワードを指定して前記無線タグにタグデータの応答を要求するパスワード指定要求手段と、
このパスワード指定要求手段による要求に対して前記無線タグが応答したデータを前記第１の報知手段により報知されるデータと識別できるような形式で報知する第２の報知手段とを備えてなることを特徴とする無線通信装置。
【請求項４】
前記パスワード設定判断手段は、前記タグデータ要求手段による要求に対して無線タグが応答したデータが、前記パスワードの指定がされていないことに応じて無線タグが応答する所定のエラーデータである場合に当該データを応答した無線タグに前記パスワードが設定されていると判断することを特徴とする請求項１乃至３のうちいずれか１に記載の無線通信装置。
【発明の詳細な説明】
【技術分野】
【０００１】
本発明は、電波を介して非接触で無線タグと交信を行うＲＦＩＤリーダなどの無線通信装置に関する。
【背景技術】
【０００２】
近年、ＩＣチップを備えた無線タグ（ＩＣタグ，ＲＦＩＤタグ，電子タグ，トランスポンダなどとも称される）と、ＲＦＩＤ（Radio Frequency Identification）リーダなどの無線通信装置とを備え、双方がそれぞれアンテナを介してデータの交信を行うことにより、無線通信装置が無線タグの情報を非接触で読み取ることができるＲＦＩＤシステムが普及している。
【０００３】
このＲＦＩＤシステムにおいて、無線通信装置は、本体に接続されたアンテナから無線タグ問合せ用の高周波信号を電波として放射しており、無線タグは、内蔵アンテナで無線通信装置からの電波を受信すると、ＩＣチップで記憶している情報で高周波信号の反射量を変化させてバックスキャッタ変調を行うものとなっている。そして、無線通信装置は、上記アンテナで無線タグからのバックスキャッタ変調波を受信すると、それを復調することで無線タグが有する情報を取得することができる。
【０００４】
このようなＲＦＩＤシステムは、無線タグを無線通信装置から数ｃｍ乃至数十ｃｍ離しても通信可能であるため、物流管理システムや施設の入退室管理システム等の様々な分野に利用されており、無線タグに記憶された情報についてのセキュリティ性を向上させる必要性が生じていた。かかる問題に対処するため、無線通信装置が無線タグを読み取る際にパスワードなどの読み取り条件を指定し、無線タグが読み取り条件の合致を判断して選択的にタグデータ返信を実行するような手段を講じた無線通信システムなども提案されている。
【０００５】
例えば、特許文献１に記載された無線ＩＣタグは、そのメモリにデータ読み出しの可否を設定するためのセキュリティバンクを備え、当該セキュリティバンクにデータ読み出し可能である旨が設定されている場合には無線通信装置からのデータ読み出しに対して正常に応答するが、データ読み出しが不可である旨が設定されている場合にはエラーデータなどを応答するように構成されている。
【特許文献１】特開２００８−５９０１２号公報
【発明の開示】
【発明が解決しようとする課題】
【０００６】
上記のような無線タグへのパスワードの設定は、無線タグが無線タグ発行装置から発行される際に、当該装置が備える無線通信手段による無線通信を通じて行われる。このとき、正常にパスワードが設定されている場合には、パスワードを指定しない限りタグデータを読み取ることはできないが、パスワードが設定されていない状態のままである場合などには、パスワードを指定しなくてもタグデータを読み取ることができてしまう。このことから、無線タグ発行装置から発行された無線タグに正常にパスワードが設定されたかどうかの確認方法として、パスワードの指定を伴わずに無線タグの読み取りを実行し、正常なタグデータを読み取ることができない場合にパスワードが有効に設定されていると判定し、正常なタグデータを読み取ることができた場合にパスワードが有効に設定されていないと判定する方法を採用していた。
【０００７】
しかしながら、無線タグから正常にタグデータを読み取ることができない場合には、他の電子機器との電波干渉が生じている場合などパスワード指定の有無以外の要因に起因する可能性も考えられる。そのため、上記確認方法のみでは、無線タグにパスワードが正常に設定されたかどうかを正確に判別することはできない。
【０００８】
本発明は、上記のような事情に基づいてなされたものであり、その目的は、無線タグにパスワードが設定されたかどうかを容易に判別でき、確認作業に要する手間を大幅に削減することが可能な無線通信装置を提供することである。
【課題を解決するための手段】
【０００９】
本発明は、タグデータを記憶したメモリを有する無線タグとアンテナを介して無線通信を行う無線通信手段を備えた無線通信装置において、前記無線通信手段により無線タグにタグデータの応答を要求するタグデータ要求手段と、このタグデータ要求手段による要求に対して無線タグが応答したデータに基づいて、当該データを応答した無線タグにタグデータの応答を制限するパスワードが設定されているか否かを判断するパスワード設定判断手段と、このパスワード設定判断手段により前記無線タグに前記パスワードが設定されていると判断されたとき、その旨を報知するパスワード設定報知手段とを備えてなることを特徴としている。
【発明の効果】
【００１０】
かかる手段を講じた本発明によれば、無線タグにパスワードが設定されたか否かを容易に判別でき、確認作業に要する手間を大幅に削減することが可能な無線通信装置を提供することができる。
【発明を実施するための最良の形態】
【００１１】
以下、本発明を実施するための第１の実施形態について、図面を参照しながら説明する。  
図１は、本発明に係る無線通信装置であるＲＦＩＤリーダ１を備えたＲＦＩＤシステムの構成図である。ＲＦＩＤリーダ１は、ホスト機器２とＬＡＮ（Local Area Network）ケーブルやＲＳ２３２Ｃなどのインターフェイスケーブル５を介して接続され、アンテナ３がアンテナケーブル６を介して接続されている。ホスト機器２は、パーソナルコンピュータやＰＯＳ（Point Of Sales）端末などの情報処理装置であり、ＲＦＩＤリーダ１に対して無線タグ８の読み取り開始、読み取り停止および読み取ったデータの送信などを要求する。アンテナ３は、ＲＦＩＤリーダ１からアンテナケーブル６を介して送信される高周波信号に応じた電波を発信し、当該電波に対して無線タグ８から応答される電波を受信して高周波信号に変換し、当該高周波信号をＲＦＩＤリーダ１に送信する。
【００１２】
無線タグ８は、ＥＰＣ（Electric Product Code）タイプの無線タグであり、ホスト機器２とＬＡＮケーブルやＲＳ２３２Ｃなどのインターフェイスケーブル７を介して接続された無線タグ発行装置４によって発行される。ＥＰＣとは、グローバルで完全にユニークになる物品管理用のコードであり、近年の無線タグの国際標準化を背景として盛んに採用されている。
【００１３】
上記無線タグ発行装置４は、ホスト機器２から受信した所定のタグデータを内部に収納したデータの書き込みがされていない無線タグ８に書き込む無線通信手段や、発行される無線タグ８の表面に形成された印字ラベルに所定の情報を印字する印字手段を備えている。
【００１４】
次に、上記ＲＦＩＤリーダ１の構成について説明する。図２は、ＲＦＩＤリーダ１の制御回路を示す模式図である。ＲＦＩＤリーダ１は、ＣＰＵ（Central Processing Unit）を主体とした制御部１０、動作プログラムなどの固定的データを記憶したＲＯＭ（Read Only Memory）１１、処理場面に応じて各種作業用のメモリエリアを形成するためのＲＡＭ（Random Access Memory）１２、通信部１３、および無線通信部２０を備えている。上記通信部１３は、インターフェイスケーブル５を接続するためのケーブル端子１４を接続し、ホスト機器２との通信を制御する。
【００１５】
上記無線通信部２０は、アンテナケーブル６を接続するためのケーブル端子１５を接続し、ＰＬＬ（Phase Locked Loop）回路２１、送信部２２、サーキュレータ２３、受信部２４及びＲＳＳＩ回路（Receive Signal Strength Indicator）２５で構成されている。ＰＬＬ回路２１は、高周波の正弦波信号を発生する。送信部２２は、制御部１０から送られてきたデジタルデータを変調し、この変調信号とＰＬＬ回路２１で作られた高周波信号とを足し合わせた信号を増幅してサーキュレータ２３に出力する。送信部２２側から信号が入力されたとき、サーキュレータ２３は、この信号をケーブル端子１５とアンテナケーブル６とを介してアンテナ３に出力し、アンテナ３は、入力された信号に応じて電波を発信する。
【００１６】
このようにしてアンテナ３から発信された電波に対して無線タグ８が応答電波を応答したときには、上述のように当該応答電波がアンテナ３で受信される。アンテナ３で受信された応答電波は、高周波信号に変換されてアンテナケーブル６とケーブル端子１５とを介してサーキュレータ２３に入力され、受信部２４に出力される。受信部２４は、入力された高周波信号を増幅した後、この増幅された高周波信号とＰＬＬ回路２１の高周波信号とを組み合わせてベースバンド信号に変換し、このベースバンド信号を復調してデジタルデータに変換し、制御部１０に出力する。
【００１７】
また、受信部２４は、復調した信号をＲＳＳＩ回路２５に出力し、ＲＳＳＩ回路２５は、入力された信号のレベルを示すアナログ信号を生成する。このアナログ信号からはアンテナ３が受信した応答電波の電波強度が測定可能である。
【００１８】
続いて、上記無線タグ８について説明する。図３は、無線タグ８の要部構成を示す模式図である。無線タグ８は、ＣＰＵを主体とした制御部３０、タグデータを記憶したメモリ３１、無線通信部３２およびアンテナ３３を備えている。無線通信部３２およびアンテナ３３は、ＲＦＩＤリーダ１が備える無線通信部２０およびアンテナ３と同様の機能を有する。すなわち、無線通信部３２は、制御部３０から入力されたデジタルデータを高周波信号に変調してアンテナ３３に出力し、アンテナ３３が入力された高周波信号に基づく電波を発信する。また、アンテナ３３が受信した電波を高周波信号に変換して無線通信部３２に出力し、無線通信部３２が入力された高周波信号をデジタルデータに復調して制御部３０に出力する。
【００１９】
上記メモリ３１は、図４に示したメモリ構造を有する。すなわち、ＩＤ領域３１ａ、ユーザ領域３１ｂおよびパスワード領域３１ｃに区分された記憶領域を備えている。ただし、無線タグ８はＥＰＣタイプの無線タグであるため、ＩＤ領域３１ａとユーザ領域３１ｂには、無線タグ８のタグデータである完全にユニークな同一のＥＰＣが記憶される。パスワード領域３１ｃには、メモリ３１へのアクセスを制限するためのパスワードが設定される。
【００２０】
パスワード領域３１ｃへのパスワードの設定について説明する。ホスト機器２は、無線タグを発行する際に、無線タグの発行コマンドや書き込むべきＥＰＣとともに任意のパスワードを無線タグ発行装置４に送信する。このパスワードを受信した無線タグ発行装置４は、上記無線通信手段によって内部に収納した無線タグ８と無線通信を行い、受信したパスワードをパスワード領域３１ｃに書き込む。かくして、パスワード領域３１ｃに任意のパスワードが設定された無線タグ８が発行される。なお、パスワードを設定することなく無線タグ８を発行することも可能である。パスワード領域３１ｃにパスワードが設定されていない場合には、メモリへのアクセス制限は課されない。
【００２１】
続いて、ＲＦＩＤリーダ１がアンテナ３から発信したタグデータの応答を要求する電波を無線タグ８が受信した際に制御部３０が実行する処理について、図５を用いて説明する。  
先ず、制御部３０は、ＳＴ１０１としてパスワード領域３１ｃにパスワードが設定されているか否かを判断する。パスワード領域３１ｃにパスワードが設定されていると判断したときには（ＳＴ１０１のＹｅｓ）、ＳＴ１０２としてパスワードを受信したか否かを判断する。ＲＦＩＤリーダ１がパスワードを指定した電波をアンテナ３から発信しており、これを受信している場合には、パスワードを受信したと判断し（ＳＴ１０２のＹｅｓ）、ＳＴ１０３として受信したパスワードがパスワード領域３１ｃに設定されたパスワードと一致するか否かを判断する。
【００２２】
受信したパスワードがパスワード領域３１ｃに設定されたパスワードと一致すると判断したとき（ＳＴ１０３のＹｅｓ）、或いはＳＴ１０１の処理にてパスワード領域３１ｃにパスワードが設定されていないと判断したとき（ＳＴ１０１のＮｏ）には、ＳＴ１０４としてＩＤ領域３１ａに記憶されたＥＰＣについてのデジタルデータを無線通信部３２に出力して当該処理を終了する。
【００２３】
一方、受信したパスワードがパスワード領域３１ｃに設定されたパスワードと一致しないと判断したとき（ＳＴ１０３のＮｏ）、或いはＳＴ１０２の処理にてパスワードを受信していないと判断したとき（ＳＴ１０２のＮｏ）には、ＳＴ１０５として当該ＥＰＣの有効なコード長を全て“０ｘ０”（“０ｘ”は、データが１６進数であることを意味する）としたエラーデータ“０ｘ０・・・”についてのデジタルデータを無線通信部３２に出力して当該処理を終了する。
【００２４】
ＳＴ１０４またはＳＴ１０５の処理にて出力されたデジタルデータは、上述の手順にて無線通信部３２で変調された後、アンテナ３３から電波として発信される。なお、エラーデータ“０ｘ０・・・”を受信したＲＦＩＤリーダ１では、当該データの受信についてＣＲＣエラーであるとの判定がなされることとなる。
【００２５】
次に、上記のような構成のＲＦＩＤリーダ１が実行する無線タグ読み取り処理について説明する。図６は、無線タグ読み取り処理にて制御部１０が実行する処理の流れ図である。この処理は、ホスト機器２から無線タグの読み取り開始コマンドを受信したことをトリガとして、ＲＯＭ１１に記憶された動作プログラムに基づいて実行される。
【００２６】
当該無線タグ読み取り処理において、先ず制御部１０は、ＳＴ２０１として無線タグ８にＥＰＣの応答を要求する（タグデータ要求手段）。具体的には、無線タグ８に対してＥＰＣの応答を要求するための所定のデジタルデータを無線通信部２０に出力する。このとき、無線通信部２０は、図２の説明にて上述した手順により入力されたデジタルデータを変調した信号をアンテナ３に出力する。そして、アンテナ３が、入力された信号に応じて電波を発信する。
【００２７】
かくしてアンテナ３に無線タグ８にＥＰＣの応答を要求するための電波を発信せしめた後、制御部１０は、ＳＴ２０２として無線タグ８からＥＰＣを受信したか否かを判断する。この判断は、無線通信部２０から出力されるデジタルデータに基づいて行われる。そして、無線通信部２０からデジタルデータが出力されない場合や、出力されたデジタルデータが無線タグ８の応答したＥＰＣではない場合には、ＥＰＣを受信していないと判断し（ＳＴ２０２のＮｏ）、ＳＴ２０１の処理に戻って再び無線タグ８の読み取りを実行する。
【００２８】
一方、ＳＴ２０２の処理において、無線タグ８から当該タグに記憶されたＥＰＣを受信したと判断したときには（ＳＴ２０２のＹｅｓ）、ＳＴ２０３として受信したＥＰＣを受信データＸとしてＲＡＭ１２に記憶する。しかる後、ＳＴ２０４として無線タグ８から受信したデータが正常なデータであるか否かを判断する（読取判断手段）。ＣＲＣエラーを含む無線通信に関するエラーが何ら生じておらず、無線タグ８から正常なデータを受信したと判断したときには（ＳＴ２０４のＹｅｓ）、ＳＴ２０５としてパスワードの指定を伴わずに無線タグ８からＥＰＣを受信したことを示す識別データ“ｄ：”を受信データＸに付したデータ“ｄ：Ｘ”をホスト機器２に送信する（第１の報知手段）。
【００２９】
一方、ＳＴ２０４の処理において、無線タグ８から正常なデータを受信していないと判断したときには（ＳＴ２０４のＮｏ）、ＳＴ２０６としてその原因がＣＲＣエラーであるか否かを判断する。このとき、原因がＣＲＣエラーでないと判断したときには（ＳＴ２０６のＮｏ）、受信データＸを破棄して必要に応じたエラー対処処理を実行し、ＳＴ２０１の処理に戻って再度無線タグ８にＥＰＣの応答を要求する。
【００３０】
一方、ＳＴ２０４の処理において無線タグ８から正常なデータを受信していないと判断した原因がＣＲＣエラーであると判断したときには（ＳＴ２０６のＹｅｓ）、ＳＴ２０７として受信データＸの値が、上記ＳＴ１０５の処理にて無線タグ８が応答するエラーデータ“０ｘ０・・・”であるか否かを判断する。このとき、受信データＸの値がエラーデータ“０ｘ０・・・”であると判断したときには（ＳＴ２０７のＹｅｓ）、ＳＴ２０８として現在読み取り対象となっている無線タグ８は、パスワード領域３１ｃにパスワードが設定されている無線タグである旨をホスト機器２に通知する（パスワード設定報知手段）。このように本実施形態において、制御部１０が実行するＳＴ２０６の処理およびＳＴ２０７の処理は、受信データＸがＣＲＣエラーを伴いかつエラーデータ“０ｘ０・・・”である場合など所定の異常データであるか否かに基づいて、無線タグ８にタグデータの応答を制限するパスワードが設定されているか否かを判断するパスワード設定判断手段を構成する。
【００３１】
ＳＴ２０８の処理の後、或いはＳＴ２０７の処理にて受信データＸの値がエラーデータ“０ｘ０・・・”でないと判断したときには、ＳＴ２０１の処理に戻って再度無線タグ８にＥＰＣの応答を要求する。
【００３２】
このように、本実施形態におけるＲＦＩＤリーダ１は、パスワードを指定せずに無線タグ８にＥＰＣの応答を要求した結果、無線タグ８から正常なＥＰＣを受信しなかったときには、受信したデータがパスワードの指定がされていないときに無線タグ８が応答するエラーデータであるか否かを判断し、該当する場合にはその旨をホスト機器２に通知する。この通知を見たホスト機器２のオペレータは、無線タグ８にパスワードが設定されているかどうかを一見して判別することができるので、パスワード設定の確認作業に要する手間を大幅に削減することができる。
【００３３】
次に、本発明を実施するための第２の実施形態について、図７を用いて説明する。  
本実施形態においては、図７に図示するように、図６の流れ図を用いて説明した無線タグの読み取り処理におけるＳＴ２０８の処理に代えて、ＳＴ２０８ａ〜ＳＴ２０８ｅの処理を制御部１０が実行する。なお、その他の部分は前実施形態と同一であるので、同一の符号を付して説明を省略する。
【００３４】
上記ＳＴ２０７の処理において、受信データＸの値がエラーデータ“０ｘ０・・・”であると判断したときには（ＳＴ２０７のＹｅｓ）、制御部１０は、ＳＴ２０８ａとして所定のパスワードを指定して無線タグ８にＥＰＣの応答を要求する（パスワード指定要求手段）。このとき指定されるパスワードは、ホスト機器２が予めＲＦＩＤリーダ１に送信し、これを受信したＲＦＩＤリーダ１がＲＡＭ１２に記憶したものである。なお、ホスト機器２がＲＦＩＤリーダ１に送信するパスワードは、無線タグ発行装置４に無線タグ８を発行させた際にパスワード領域３１ｃに設定させたものと同一のパスワードである。
【００３５】
このようにパスワードを指定して無線タグ８にＥＰＣの応答を要求した後、制御部１０は、ＳＴ２０８ｂとして無線タグ８から応答されるＥＰＣを受信したか否かを判断する。パスワードが指定された電波を無線タグ８が受信した場合、無線タグ８では、上記ＳＴ１０３の処理にて当該パスワードがパスワード領域３１ｃに設定されたパスワードと一致するか否かが判断され、一致している場合には、ＩＤ領域３１ａに記憶されたＥＰＣが応答される。このようにして無線タグ８から応答されるＥＰＣを受信したと判断したときには（ＳＴ２０８ｂのＹｅｓ）、制御部１０は、ＳＴ２０８ｃとして受信したＥＰＣを受信データＹとしてＲＡＭ１２に記憶する。
【００３６】
しかる後、ＳＴ２０８ｄとして無線タグ８から受信したデータが正常なデータであるか否かを判断する。ＣＲＣエラーを含む無線通信に関するエラーが何ら生じておらず、無線タグ８から受信したデータが正常なデータであると判断したときには（ＳＴ２０８ｄのＹｅｓ）、ＳＴ２０８ｅとしてパスワードの指定を伴って無線タグ８からＥＰＣを受信したことを示す識別データ“ｏ：”を受信データＹに付したデータ“ｏ：Ｙ”をホスト機器２に送信する（報知手段または第２の報知手段）。
【００３７】
一方、ＳＴ２０８ｄの処理において、無線タグ８から受信したデータが正常なデータでないと判断したときには（ＳＴ２０８ｄのＮｏ）、ホスト機器２への受信データ送信を行わずにＳＴ２０１の処理に戻る。
【００３８】
このように、本実施形態におけるＲＦＩＤリーダ１は、パスワードを指定せずに無線タグ８にＥＰＣの応答を要求した結果、無線タグ８から正常なデータを受信しなかったときには、受信したデータがパスワードの指定がされていないときに無線タグ８が応答するデータであるか否かを判断し、該当する場合にはパスワードを指定して無線タグ８にＥＰＣの応答を要求する。そして、パスワードを指定した要求に対して無線タグ８が応答したデータとパスワードの指定を伴わない要求に対して無線タグ８が応答したデータとを区別できるようにしてホスト機器２にデータを送信する。そのため、ホスト機器２のオペレータは、無線タグ８にパスワードが設定されているかどうかを一見して判別することができるだけでなく、無線タグ発行装置４により正常に無線タグ８にＥＰＣが書き込まれたかどうかについても判別することができる。
【００３９】
なお、この発明は前記各実施形態そのままに限定されるものではなく、実施段階においては、その要旨を逸脱しない範囲内にて各構成要素を適宜変形して具体化することができる。
【００４０】
例えば、上記各実施形態においては、パスワードが正常に指定されない場合には、無線タグ８がエラーデータ“０ｘ０・・・”を応答する（ＳＴ１０５）としたがこれに限定されず、無線タグ８のメモリに記憶されたＥＰＣの有効なコード長を全て“０ｘＦ”としたデータ“０ｘＦ・・・”や、特定のパターンとしたデータ“０ｘＦ０Ｆ０・・・”などの他のデータであってもよい。無線タグ８が応答するエラーデータが“０ｘ０・・・”でない場合には、図７に示した流れ図中のＳＴ２０７の判断処理を当該エラーデータに合わせて変更すればよい。
【００４１】
また、上記各実施形態においては、ＲＦＩＤリーダ１によりＥＰＣタイプの無線タグ８からデータを読み出す場合について説明したがこれに限定されず、ＩＤ領域に各無線タグ固有のＩＤが記憶され、ユーザ領域にユーザが所望するデータが記憶された無線タグなど他の形式の無線タグを読み取るＲＦＩＤリーダについても同様に本発明を適用することができることはいうまでもない。このようにＥＰＣタイプ以外の無線タグを読み取る場合においても、無線タグが応答するエラーデータに応じて図７に示した流れ図中のＳＴ２０７の判断処理を変更すればよい。
【００４２】
また、第２の実施形態においては、パスワードを指定しないＥＰＣの応答要求に対して無線タグ８がＥＰＣを応答したときには“ｄ：”を付して当該ＥＰＣをホスト機器２に送信するのに対し、パスワードを指定したＥＰＣの応答要求に対して無線タグ８がＥＰＣを応答したときには“ｏ：”を付して当該ＥＰＣをホスト機器２に送信することで無線タグ８からデータを読み取った際のパスワード指定の有無を識別できるようにしたが、パスワード指定の有無についてデータを識別できるようにする方法はこれに限定されない。例えば、パスワード指定の有無にかかわらず無線タグ８が応答したデータをそのままホスト機器２に送信し、パスワード指定を伴う場合にはその旨を通知するようにしてもよいし、逆にパスワード指定を伴わない場合にのみその旨を通知するようにしてもよい。
【００４３】
この他、上記各実施形態に開示されている複数の構成要素の適宜な組合せにより種々の発明を形成できる。例えば、各実施形態に示される全体構成要素から幾つかの構成要素を削除してもよい。さらに、異なる実施形態に亘る構成要素を組合せてもよい。
【図面の簡単な説明】
【００４４】
【図１】本発明の第１の実施形態におけるＲＦＩＤリーダを備えたＲＦＩＤシステムの構成図。
【図２】同実施形態におけるＲＦＩＤリーダの制御回路を示す模式図。
【図３】同実施形態における無線タグの要部構成を示す模式図。
【図４】同実施形態における無線タグが備えるメモリの構造を示す図。
【図５】同実施形態における無線タグの制御部が実行する処理の流れ図。
【図６】同実施形態におけるＲＦＩＤリーダの制御部が実行する処理の流れ図。
【図７】本発明の第２の実施形態におけるＲＦＩＤリーダの制御部が実行する処理の流れ図。
【符号の説明】
【００４５】
１…ＲＦＩＤリーダ、２…ホスト機器、３…アンテナ、４…無線タグ発行装置、８…無線タグ、１０…制御部、２０…無線通信部、３１…メモリ、３１ａ…ＩＤ領域、３１ｂ…ユーザ領域、３１ｃ…パスワード領域、３２…無線通信部、３３…アンテナ
【図１】
2010067123.tif 000003
【図２】
2010067123.tif 000004
【図３】
2010067123.tif 000005
【図４】
2010067123.tif 000006
【図５】
2010067123.tif 000007
【図６】
2010067123.tif 000008
【図７】
2010067123.tif 000009